(57)【要約】【課題】吹出口からファンケーシング内に液体が浸入した場合であっても、イオン発生器への影響が小さくなるイオン放出装置を提供する。【解決手段】イオン放出装置３Ａは、シロッコファン３０と、イオン発生器３２と、イオン発生器ケーシング３１と、を備える。シロッコファン３０は、ファンロータ３０１と、スクロールケーシング３０２とを有する。ファンロータ３０１を出た空気は、スクロールケーシング３０２に形成された空気流路ＦＰ２を通って吹出口３０４を介して上向きに吹出される。イオン発生器３２は、イオン発生器収容空間Ｓ１に配置され、イオンを発生させる。イオン発生器収容空間Ｓ１は、空気流路ＦＰ２の外に位置し、且つ連通空間Ｓ２を介して空気流路ＦＰ２と連通する。イオン発生器ケーシング３１は、イオン発生器収容空間Ｓ１を囲う。【選択図】図６
2014020611.tif 000002
【特許請求の範囲】
【請求項１】
ファンロータ（３０１）とスクロールケーシング（３０２）とを有し、前記ファンロータを出た空気が前記スクロールケーシングに形成された空気流路（ＦＰ２）及び吹出口（３０４）を通って上向きに吹き出される、シロッコファン（３０）と、
前記空気流路の外に位置し且つ連通空間（Ｓ２）を介して前記空気流路と連通する第１空間（Ｓ１）に配置され、イオンを発生させる、イオン発生器（３２）と、
前記第１空間を囲うイオン発生器ケーシング（３１）と、
を備えた、イオン放出装置（３Ａ）。
【請求項２】
前記スクロールケーシングは、前記空気流路の底面となる傾斜板部（３０６）を有し、
前記第１空間及び前記連通空間は、前記傾斜板部によって前記空気流路と仕切られ、
前記傾斜板部には、前記空気流路と前記連通空間との境界に開口（３０８）が形成され、
前記第１空間は、平面的に前記傾斜板部の開口から外れている、
請求項１に記載のイオン放出装置。
【請求項３】
前記連通空間の底面となる連通空間底面部（３１１ｄ）は、前記連通空間の底面になる上面が、前記空気流路側が低くなるように水平面に対して下方に傾斜している、
請求項１又は２に記載のイオン放出装置。
【請求項４】
前記イオン発生器ケーシングは、前記第１空間及び前記連通空間を囲っており、
前記連通空間に配置され、前記空気流路からの液体の流入を抑える、防壁（３１２）をさらに備えた、
請求項１から３のいずれかに記載のイオン放出装置。
【請求項５】
前記防壁は、前記連通空間の下部に配置される第１防壁（３１２ａ）と、前記連通空間の上部に配置される第２防壁（３１２ｂ）とを有している、
請求項４に記載のイオン放出装置。
【請求項６】
前記イオン発生器ケーシングは、第１ケーシング（３１ａ）と第２ケーシング（３１ｂ）とを有し、
前記第１ケーシングは、前記スクロールケーシングと一体となっており、
前記第２ケーシングは、前記第１ケーシング及び前記スクロールケーシングに装着される、
請求項１から５のいずれかに記載のイオン放出装置。
【請求項７】
前記空気流路と前記連通空間との境界近傍に設けられ、その上側が前記空気流路と前記連通空間とを結ぶ上開口（３０８ａ）になり、その下側が前記空気流路と前記連通空間とを結ぶ下開口（３０８ｂ）になる、境界壁部（３１３）をさらに備え、
前記上開口の面積が、前記下開口の面積以上である、
請求項１から６のいずれかに記載のイオン放出装置（３Ｂ）。
【発明の詳細な説明】
【技術分野】
【０００１】
本発明は、イオン放出装置に関する。
【背景技術】
【０００２】
イオン発生器によりイオンを生成し、シロッコファンによって上向きに空気流路を形成して、吹出口からイオンを外部に放出する方式のイオン放出装置が知られている。例えば、特許文献１（特開２００３−１２０９７２号公報）に記載の空気調和機に適用されるマイナスイオン放出装置は、マイナスイオン発生器をファンケーシング内の風速が小さい空間に設けて、安定的にマイナスイオンを放出している。
【発明の概要】
【発明が解決しようとする課題】
【０００３】
しかし、従来のイオン放出装置においては、例えば、吹出口からファンケーシング内に飲料等の液体がこぼれてしまうと、イオン発生器に液体が浸入し、イオン発生器の機能が損なわれて安定的にイオンを供給できないことが想定される。一方、イオン発生器自体の防水機能を高めると、装置全体のコストが上がってしまう。
【０００４】
そこで本発明の課題は、吹出口からファンケーシング内に液体が浸入した場合であっても、イオン発生器への影響が小さくなるイオン放出装置を提供することである。
【課題を解決するための手段】
【０００５】
本発明の第１観点に係るイオン放出装置は、シロッコファンと、イオン発生器と、イオン発生器ケーシングと、を備える。シロッコファンは、ファンロータと、スクロールケーシングとを有する。ファンロータを出た空気は、スクロールケーシングに形成された空気流路及び吹出口を通って上向きに吹出される。イオン発生器は、第１空間に配置され、イオンを発生させる。第１空間は、空気流路の外に位置し且つ連通空間を介して空気流路と連通する。イオン発生器ケーシングは、第１空間を囲う。
【０００６】
本発明の第１観点に係るイオン放出装置では、イオン発生器は、空気流路の外にある第１空間に配置される。これにより、空気流路に液体が浸入しても第１空間に液体が浸入しにくい。したがって、吹出口からスクロールケーシング内に液体が浸入した場合であっても、イオン発生器への影響が小さくなる。
【０００７】
本発明の第２観点に係るイオン放出装置は、第１観点に係るイオン放出装置であって、スクロールケーシングは、空気流路の底面となる傾斜板部を有する。第１空間及び連通空間は、傾斜板部によって空気流路と仕切られる。傾斜板部には、空気流路と連通空間との境界に開口が形成される。第１空間は、平面的に傾斜板部の開口から外れている。
【０００８】
本発明の第２観点に係るイオン放出装置では、第１空間及び連通空間は、傾斜板部によって空気流路と仕切られ、第１空間は、傾斜板部に形成された開口から平面的に外れている。これにより、さらに、空気流路内に液体が浸入しても第１空間に液体が浸入しにくいようになる。
【０００９】
本発明の第３観点に係るイオン放出装置は、第１観点又は第２観点に係るイオン放出装置であって、連通空間の底面となる連通空間底面部は、連通空間の底面になる上面が、空気流路側が低くなるように水平面に対して下方に傾斜している。
【００１０】
本発明の第３観点に係るイオン放出装置では、連通空間底面部の上面が、空気流路側が低くなるように水平面に対して下方に傾斜している。これにより、液体が連通空間に浸入しても空気流路側へ流れ落ちていくため、第１空間に液体が浸入しにくい。
【００１１】
本発明の第４観点に係るイオン放出装置は、第１観点から第３観点のいずれかに係るイオン放出装置であって、防壁をさらに備える。イオン発生器ケーシングは、第１空間及び連通空間を囲う。防壁は、連通空間に配置され、空気流路からの液体の流入を抑える。
【００１２】
本発明の第４観点に係るイオン放出装置では、防壁が、連通空間に配置され、空気流路からの液体の流入を抑える。これにより、液体が連通空間に浸入しても第１空間に液体が浸入しにくい。
【００１３】
本発明の第５観点に係るイオン放出装置は、第４観点に係るイオン放出装置であって、
防壁は、第１防壁と第２防壁とを有する。第１防壁は、連通空間の下部に配置される。第２防壁は、連通空間の上部に配置される。
【００１４】
本発明の第５観点に係るイオン放出装置では、上下の２つの防壁で液体の流入を抑えるため、液体が連通空間に浸入しても第１空間に液体が浸入しにくい。
【００１５】
本発明の第６観点に係るイオン放出装置は、第１観点から第５観点のいずれかに係るイオン放出装置であって、イオン発生器ケーシングは、第１ケーシングと第２ケーシングとを有する。第１ケーシングは、スクロールケーシングと一体となっている。第２ケーシングは、第１ケーシング及びスクロールケーシングに装着される。
【００１６】
本発明の第６観点に係るイオン放出装置では、液体が連通空間に浸入しても第１空間に液体が浸入しにくく、且つ組立てが容易になる。
【００１７】
本発明の第７観点に係るイオン放出装置は、第１観点から第６観点のいずれかに係るイオン放出装置であって、境界壁部をさらに備える。境界壁部は、空気流路と連通空間との境界近傍に設けられる。境界壁部の上側は、空気流路と連通空間とを結ぶ上開口になる。境界壁部の下側は、空気流路と連通空間とを結ぶ下開口になる。上開口の面積は、下開口の面積以上である。
【００１８】
本発明の第７観点に係るイオン放出装置では、境界壁部が空気流路と連通空間の境界近傍に設けられ、下開口及び下開口の面積以上の上開口が形成される。このため、空気流路の空気が下開口を介して連通空間へ流入し、連通空間へ流入した空気が上開口を介して空気流路へ流出するように、連通空間において空気の流れができる。これにより、第１空間において生成されたイオンが、連通空間における空気の流れに誘引されて空気流路へと運ばれる。したがって、空気流路へイオンを送出しやすい。
【発明の効果】
【００１９】
本発明の第１観点に係るイオン放出装置では、吹出口からスクロールケーシング内に液体が浸入した場合であっても、イオン発生器への影響が小さくなる。
【００２０】
本発明の第２観点から第５観点に係るイオン放出装置では、さらに、第１空間に液体が浸入しにくくなる。
【００２１】
本発明の第６観点に係るイオン放出装置では、第１空間に液体が浸入しにくく、且つ組立てが容易になる。
【００２２】
本発明の第７観点に係るイオン放出装置では、空気流路へイオンを送出しやすい。
【図面の簡単な説明】
【００２３】
【図１】本発明の第１実施形態に係るイオン放出装置の正面斜視図
【図２】本発明の第１実施形態に係るイオン放出装置の背面斜視図
【図３】本発明の第１実施形態に係るイオン放出装置における送風の経路を示す概念図
【図４】スクロールケーシングの一部を除くイオン放出ユニットの正面斜視図
【図５】イオン放出ユニットを含むアセンブリの背面斜視図
【図６】イオン放出ユニットの背面図
【図７】イオン放出ユニットのスクロールケーシングのケーシング蓋部の概略斜視図
【図８】イオン発生器ケーシングの拡大図
【図９】本発明の第２実施形態に係るイオン放出ユニットの背面図
【図１０】本発明の第２実施形態に係るイオン発生器ケーシングの拡大図
【発明を実施するための形態】
【００２４】
以下、図面を参照しながら、本発明の実施形態について説明する。なお、以下の実施形態は、本発明の具体例であって、本発明の技術的範囲を限定するものではない。また、以下の説明において、上、下、左、右、正面（前）、背面（後）といった方向を示す語句を用いているが、これらの方向は、特にことわりのない限り、図１に示す方向を意味する。
【００２５】
〈第１実施形態〉
（１）イオン放出装置１Ａ
本発明の第１実施形態に係るイオン放出装置１Ａは、空気清浄機能とイオン放出機能の２つの機能を有している。なお、イオン放出装置１Ａは、空気清浄機能及びイオン放出機能のいずれかの機能を発揮するだけでなく、両機能を同時に発揮することができる。
【００２６】
イオン放出装置１Ａは床置き型であり、本体１０（図１又は２を参照）と、フィルタユニット２（図３を参照）と、イオン放出ユニット３Ａ（図４乃至６を参照）と、制御ユニット（図示せず）とを備える。
【００２７】
（２）本体１０
図１に示すように、本体１０は、ケーシング部材１０１、１０２及び台座１０３等からなる。
【００２８】
本体１０には、空気を取り込むための吸込口１０ａと、後述するスクロールケーシング３０２の吹出口３０４（後述）が外部に露出するような開口１０ｂ（図２を参照）とが形成されている。具体的には、吸込口１０ａは、本体１０の左右の側面において縦長に形成されている。また、開口１０ｂは、本体１０の背面上部に形成される。イオン放出装置１Ａでは、吸込口１０ａを介して本体１０内に吸い込まれた空気は、吹出口３０４及び開口１０ｂを介して本体１０の外に排出される。
【００２９】
本体１０には、フィルタユニット２、イオン放出ユニット３Ａ及び制御ユニット等が収納されている。
【００３０】
（３）フィルタユニット２
図３は、フィルタユニット２及び後述するファンロータ３０１の概略の分解斜視図である（矢印は、空気流を示す）。フィルタユニット２は、図３に示すように、主として、プレフィルタ２１と、ＨＥＰＡフィルタ２２と、脱臭エレメント２３とから構成される。これらは、正面側から背面側にかけてこの順に（すなわち、空気流の上流側から下流側にかけてこの順に）並んで配置されている。
【００３１】
イオン放出装置１Ａにおいてはこれらのフィルタにより空気清浄機能が実現される。具体的には、まずプレフィルタ２１が、空気中の比較的大きな塵埃等を捕捉する。次にＨＥＰＡフィルタ２２が、プレフィルタ２１を通過した空気中の微細な塵埃等を捕捉する。さらに、脱臭エレメント２３が、活性炭などを含み、プレフィルタ２１及びＨＥＰＡフィルタ２２を通過した空気中のニオイや有毒ガスを吸着して分解する。そして清浄化された空気が、後述するイオン放出ユニット３Ａのファンロータ３０１により、スクロールケーシング３０２内に形成された空気流路ＦＰ１からＦＰ２へと導かれ（図６を参照）、吹出口３０４を介して本体１０の外部へと送出される。
【００３２】
（４）イオン放出ユニット３Ａ
以下、図４から図８を参照して本発明の第１実施形態に係るイオン放出ユニット３Ａについて説明する。図４及び図５は、イオン放出装置１Ａからケーシング部材１０１、１０２、フィルタユニット２及び操作パネル４１等を取り外した状態を示している。また、図６及び図８は、イオン発生器ケーシング３１の蓋部３１ｂを装着しない状態を示している。なお、図中における黒塗りの矢印は、空気の流れを表している。
【００３３】
イオン放出ユニット３Ａは、本体１０内においてフィルタユニット２よりも空気流下流側（本体１０の背面側）に配設されている。また、イオン放出ユニット３Ａは上部の吹出口３０４から上方向に空気を吹出すように台座１０３にネジで固定されている（図４及び図５を参照）。
【００３４】
イオン放出ユニット３Ａは、主として、シロッコファン３０と、イオン発生器ケーシング３１と、イオン発生器３２とからなる。
【００３５】
（４−１）シロッコファン３０
シロッコファン３０は、フィルタユニット２を通過した空気を、開口３０３（図４を参照）を介してシロッコファン３０の内部に取り込んで、吹出口３０４（図５参照）を介して外部に排出する。具体的には、後述するファンロータ３０１が回転することにより、空気を吸引してスクロールケーシング３０２の内部に取り込み、スクロール流路ＦＰ１及び空気流路ＦＰ２（図６参照）へと送出して上方向へと吹き出す。
【００３６】
図６に示すように、シロッコファン３０は、ファンロータ３０１と、スクロールケーシング３０２とを有している。
【００３７】
（４−１−１）ファンロータ３０１
図４に示すように、ファンロータ３０１は、円周方向に配設された複数のブレード３０１ａと、ブレード３０１ａの前側端部に設けられた環状の保持リング３０１ｂと、保持リング３０１ｂと対向する位置に設けられた円盤状の底面プレート３０１ｃとを有している。
【００３８】
ファンロータ３０１は、底面プレート３０１ｃの中心に形成された連結孔３０１ｄにおいて、モータ（図示せず）の回転軸と連結されている。ファンロータ３０１は、モータにより回転駆動されると前方向より空気を吸引し、ブレード３０１ａ間を通って径方向外側に放射状に吹き出して、後述するスクロール流路ＦＰ１から空気流路ＦＰ２へと圧送する。
【００３９】
ファンロータ３０１は、スクロールケーシング３０２に収容されている。
【００４０】
（４−１−２）スクロールケーシング３０２
スクロールケーシング３０２は、樹脂製で、前側ケーシング３０２ａと後側ケーシング３０２ｂから構成される。なお、以下の説明においては、説明の便宜上、後側ケーシング３０２ｂの背面から見た状態を上部、中部及び下部に分けて説明するが、本実施形態において前側ケーシング３０２ａ及び後側ケーシング３０２ｂは一体に形成され、それらが合わさってスクロールケーシング３０２になる。
【００４１】
スクロールケーシング３０２の上部には、図５及び図６に示すように、吹出口３０４が横長に形成されている。吹出口３０４には、樹脂製の複数の格子形成部材が、格子を形成するように左右方向に所定間隔で配置されている。
【００４２】
スクロールケーシング３０２の上部から中部にかけては、図６に示すように、内側に突出する舌部３０５と、舌部３０５から吹出口３０４まで延びる第１壁部３０６と、第１壁部３０６に対向するように位置する第２壁部３０７とが形成されている。第１壁部３０６は、背面から見て舌部３０５の上端から吹出口３０４の左端に向かって広がるように傾斜している。
【００４３】
スクロールケーシング３０２の下部は、図５及び図６に示すように、丸みを帯びた形状をしており、背面から見て舌部３０５の下端から右周りにいくほど曲率半径が大きくなるように形成され、右終端において第２壁部３０７の下端と滑らかにつながっている。そして、スクロールケーシング３０２の正面部分には、保持リング３０１ｂと略同面積の開口３０３（図４を参照）が形成され、その内部にファンロータ３０１が露出するように収容されている。また、ファンロータ３０１の背面側には、モータが収容されている。
【００４４】
ファンロータ３０１の外周面の外側には、スクロール流路ＦＰ１（図６参照）が形成されている。スクロール流路ＦＰ１は、舌部３０５から離れるにしたがって流路面積が大きくなるように構成されている。また、中部から上部にかけて、スクロール流路ＦＰ１の下流から吹出口３０４へと通じる空気流路ＦＰ２（図６参照）が、吹出口３０４に近くにいくほど大きくなるように形成されている。
【００４５】
スクロール流路ＦＰ１及び空気流路ＦＰ２の背面側は、スクロールケーシング３０２の後側ケーシング３０２ｂの背面板３０９によって塞がれている。
【００４６】
第１壁部３０６の右外側（背面視では左外側）には、後述するイオン発生器ケーシング３１が形成されている。また第１壁部３０６の舌部３０５の近傍部分には、後述する連通空間Ｓ２と連通するための連通開口３０８（図６を参照）が形成されている。
【００４７】
（４−２）イオン発生器ケーシング３１
本実施形態におけるイオン発生器ケーシング３１は、樹脂製で、本体３１ａと、蓋部３１ｂとからなる。
【００４８】
（４−２−１）本体３１ａ
本体３１ａは、背面から見て略台形状に形成され、図８に示すように、前面板３１１ａと、上面板３１１ｂと、側面板３１１ｃと、下面板３１１ｄとから構成されている。また、本体３１ａの内部には、イオン発生器収容空間Ｓ１（以下、収容空間Ｓ１と記載）と連通空間Ｓ２とが形成される。なお、収容空間Ｓ１と連通空間Ｓ２とは、その間を仕切られておらず、空間として繋がっている。そして、収容空間Ｓ１にはイオン発生器３２が収容されており、収容空間Ｓ１を形成するイオン発生器ケーシング３１の本体３１ａの上面板３１１ｂには、イオン発生器３２と電源ユニット３２３とを接続するリード線３２２を貫通するための孔が形成されている。
【００４９】
本実施形態において本体３１ａは、第１壁部３０６の外側に位置し、収容空間Ｓ１が第１壁部３０６によって空気流路ＦＰ２と仕切られるように、スクロールケーシング３０２と一体成形により形成されている。
【００５０】
図６及び図８に示すように、本体３１ａ内の連通空間Ｓ２は、側面板３１１ｃや下面板３１１ｄ、後述する蓋部３１ｂの主板３１１ｅ等に囲われている。下面板３１１ｄは、空気流路ＦＰ２から連通空間Ｓ２に浸入した液体が、連通開口３０８から空気流路ＦＰ２へと流れ落ちやすいように、その上面が水平面に対して左下（背面から見て右下）に傾斜している。そして、下面板３１１ｄの下端部が舌部３０５の近傍において第１壁部３０６と接続して、連通開口３０８を形成している。下面板３１１ｄがこのように傾斜していることから、連通空間Ｓ２に液体が浸入しても、重力によって液体が連通開口３０８から空気流路ＦＰ２へと流れ落ち、収容空間Ｓ１に液体が浸入しにくいようになっている。
【００５１】
また、連通空間Ｓ２においては、下面板３１１ｄの内面上にリブが配設され第１防壁３１２ａを構成している。また、下面板３１１ｄの上面に対向する面（第１壁部３０６の外面）上には、リブが第１防壁３１２ａより左（背面から見て右）方向にずれて配設され第２防壁３１２ｂを構成している。また、これらの防壁３１２（第１防壁３１２ａ及び第２防壁３１２ｂ）は、本体３１ａの前面板３１１ａに当接しており、蓋部３１ｂを装着した場合には、その主板３１１ｅの内面にも当接するように設けられている。
【００５２】
防壁３１２は、収容空間Ｓ１から連通空間Ｓ２及び空気流路ＦＰ２へと流れるマイナスイオンの流路を確保しつつ、空気流路ＦＰ２から連通空間Ｓ２に浸入した液体が収容空間Ｓ１に浸入することを妨げるために設けられている。具体的には、防壁３１２は、第２防壁３１２ｂが第１防壁３１２ａより左方向にずれるように配設されているため、第１防壁３１２ａと第２防壁３１２ｂの間をマイナスイオンが流れる。そして、吹出口３０４から空気流路ＦＰ２に浸入した液体や、ファンロータ３０１によって飛散した液体が、連通空間Ｓ２に浸入しても、上記防壁３１２に防御され、収容空間Ｓ１には液体が浸入しにくいようになっている。
【００５３】
（４−２−２）蓋部３１ｂ
図５及び図７に示す蓋部３１ｂは、収容空間Ｓ１及び連通空間Ｓ２を背面側からカバーする蓋である。蓋部３１ｂは、本体３１ａの前面板３１１ａと同じ形状の主板３１１ｅと、スクロールケーシング３０２の第１壁部３０６に沿った傾斜板３１１ｆと、スクロールケーシング３０２の背面板３０９の切り欠きを塞ぐ鉛直板３１１ｇとを有している。この蓋部３１ｂは、イオン発生器ケーシング３１の本体３１ａ及びスクロールケーシング３０２にネジで装着される。
【００５４】
（４−３）イオン発生器３２
イオン発生器３２は、収容空間Ｓ１に収容されている。また、電源ユニット３２３がイオン発生器ケーシング３１の上方に配設され、イオン発生器３２とリード線３２２で接続されている。
【００５５】
本実施形態におけるイオン発生器３２は、放電によりマイナスイオンを生成するコロナ放電式のものである。イオン発生器３２は、高圧電極と接地電極とをケースに収容したものであって、線状の放電針電極（図示せず）が高圧電極に電気的に接続した状態で設けられている。
【００５６】
イオン発生器３２は、電源ユニット３２３から電力の供給をうけ、高圧電極から放電針電極にマイナスの高電圧が印加されると、放電針電極と接地電極との間に強電界を生じさせる。そして、放電針電極の先端部近傍が絶縁破壊してコロナ放電状態になり、マイナスイオンが発生する。発生したマイナスイオンは、開口部３２１から放出される。
【００５７】
（５）制御ユニット
制御ユニット（図示せず）は、操作パネル４１（図１を参照)の下方に位置する複数の電装品から構成され、イオン放出装置１Ａの本体１０内の各種部品の動作を制御する。したがって、制御ユニットは、操作パネル４１を介して入力されるユーザーの指令に基づいて、イオン放出ユニット３Ａの制御も行う。例えば、ユーザーが操作パネル４１を介してイオン放出運転を行う旨の制御指令を入力した場合、制御ユニットは、シロッコファン３０のモータの稼働やイオン発生器３２へ電圧の印加等を行う。
【００５８】
（６）イオン放出装置１Ａの動作
以下、本実施形態に係るイオン放出装置１Ａの動作について説明する。
【００５９】
まず、ユーザーが操作パネル４１を介して制御指令を入力すると、モータが稼動してシロッコファン３０のファンロータ３０１が回転する。そして、ファンロータ３０１の吸引力により、外部の空気が本体１０の吸込口１０ａを介して本体１０内に取りこまれる。それから、本体１０内に取りこまれた空気は、フィルタユニット２を通過して、空気中の塵埃、ニオイ等が除去される。次に、フィルタユニット２で清浄化された空気は、ファンロータ３０１のブレード３０１ａ間を通ってスクロールケーシング３０２内に取り込まれ、スクロール流路ＦＰ１に送出される。そして、スクロール流路ＦＰ１に送出された空気は、空気流路ＦＰ２を通って吹出口３０４へと導かれる。
【００６０】
一方、イオン発生器３２では、電源ユニット３２３から電圧が印加されてマイナスイオンを生成する。生成されたマイナスイオンは、収容空間Ｓ１から連通空間Ｓ２へと流れ、連通開口３０８を介して空気流路ＦＰ２に送出される。空気流路ＦＰ２に送出されたマイナスイオンは、吹出口３０４へと流れる空気流に運ばれて、吹出口３０４を介して上方へと吹き出される。すなわち、清浄化された空気とともにマイナスイオンが本体１０の外部へ放出される。
【００６１】
（７）特徴
（７−１）
上記第１実施形態では、イオン発生器３２は、空気流路ＦＰ２の外に位置する収容空間Ｓ１に配置され、イオン発生器ケーシング３１が収容空間Ｓ１を囲っている。したがって、吹出口３０４を介してスクロールケーシング３０２内に液体が浸入した場合であっても、イオン発生器３２への影響が小さくなる。
【００６２】
（７−２）
上記第１実施形態では、イオン発生器収容空間Ｓ１は、第１壁部３０６によって空気流路ＦＰ２と仕切られている。また、イオン発生器３２の収容空間Ｓ１は、連通空間Ｓ２に形成された開口３０８から平面的に外れている。これにより、連通空間Ｓ２に液体が浸入しても、収容空間Ｓ１に液体が浸入しにくい。
【００６３】
（７−３）
上記第１実施形態では、下面板３１１ｄが、その上面が空気流路ＦＰ２側ほど低くなるように、水平面に対して下方に傾斜している。これにより、連通空間Ｓ２に液体が浸入しても、収容空間Ｓ１に液体が浸入しにくい。
【００６４】
（７−４）
上記第１実施形態では、連通空間Ｓ２において、下面板３１１ｄの上面には第１防壁３１２ａが配置され、下面板３１１ｄの上面に対向する面（第１壁部３０６の外面）には第２防壁３１２ｂが配置されている。これにより、連通空間Ｓ２に液体が浸入しても、収容空間Ｓ１に液体が浸入しにくい。
【００６５】
（７−５）
上記第１実施形態では、イオン発生器ケーシング３１の本体３１ａはスクロールケーシング３０２と一体に形成され、蓋部３１ｂが本体３１ａ及びスクロールケーシング３０２に装着されている。これにより、連通空間Ｓ２に液体が浸入しても収容空間Ｓ１に液体が浸入しにくい構成を採りながら、組立てが容易になっている。
【００６６】
（８）変形例
（８−１）変形例１ａ
上記第１実施形態では、イオン放出装置１Ａは、空気清浄機能を有するものであったが、当該機能を有していなくともよい。つまり、フィルタユニット２は省略してもよい。
【００６７】
また、イオン放出装置１Ａは、エアコンや加湿器等の他の空気調和機に組み込まれて適用されるものであってもよい。
【００６８】
（８−２）変形例１ｂ
上記第１実施形態では、イオン発生器ケーシング３１の本体３１ａはスクロールケーシング３０２と一体に形成されるものであったが、別々に形成されてもよい。例えば、スクロールケーシング３０２とは別に形成されたイオン発生器ケーシング３１の本体３１ａを、スクロールケーシング３０２にネジ等で装着してもよい。
【００６９】
（８−３）変形例１ｃ
上記第１実施形態では、イオン発生器ケーシング３１は、第１壁部３０６の外面に形成されたが、他の位置に形成されてもよい。例えば、第２壁部３０７の外側空間にイオン発生器ケーシング３１及びイオン発生器３２を配設してもよい。なお、その場合、連通開口３０８も外壁３０７に形成することになる。
【００７０】
（８−４）変形例１ｄ
上記第１実施形態では、イオン発生器３２は、マイナスの電圧を印加されてマイナスイオンを生成したが、イオンを発生するものであれば他の装置でも構わない。
【００７１】
（８−５）変形例１ｅ
上記第１実施形態では、連通空間Ｓ２はイオン発生器ケーシング３１内に形成されたが、これに限定されない。例えば、イオン発生器ケーシング３１内に収容空間Ｓ１のみを設けて、連通空間Ｓ２をスクロールケーシング３０２に形成してもよい。
【００７２】
（８−６）変形例１ｆ
上記第１実施形態では、防壁３１２は、下面板３１１ｄの上面及びこれに対抗する面（第１壁部３０６の外面）に形成されたが、この配置に限定されない。例えば、舌部３０５の近傍や第１壁部３０６の内面に防壁３１２を形成してもよい。
【００７３】
また、上記第１実施形態では、防壁３１２は２つ形成されたが、これより多くてもよく、又は１つであってもよい。
【００７４】
また、上記第１実施形態では、防壁３１２は２つのリブを左右にずらして上下に配置するものであったが、これに限定されない。例えば、背面から見て階段状に形成されたリブ等を連通空間Ｓ２に配設してもよい。
【００７５】
〈第２実施形態〉
（１）イオン放出装置１Ｂ
以下、本発明の第２実施形態に係るイオン放出装置１Ｂについて説明する。なお、イオン放出装置１Ｂは、第１実施形態に係るイオン放出装置１Ａとはイオン放出ユニット３Ａのみが相違し、その他の構成は同じである。よって、イオン放出装置１Ａと構成が重複する部分については説明を省略する。また、第１実施形態に係るイオン放出装置１Ａと共通する部分については、同一の符号を用いる。
【００７６】
（２）イオン放出ユニット３Ｂ
以下、図９及び図１０を参照して、本発明の第２実施形態に係るイオン放出ユニット３Ｂについて説明する。
【００７７】
イオン放出ユニット３Ｂでは、イオン発生器ケーシング３１の本体３１ａの前面板３１１ａの内面上に、境界壁３１３が配設されている。境界壁３１３は、連通開口３０８における連通空間Ｓ２と空気流路ＦＰ２との境界近傍に配置されている。また、境界壁３１３は、イオン発生器ケーシング３１の蓋部３１ｂを装着する時に蓋部３１ｂの主板３１１ｅの内面と当接する。そして、境界壁３１３の上側には上開口３０８ａが、境界壁３１３の下側には下開口３０８ｂが形成される。すなわち、境界壁３１３は、開口３０８を上開口３０８ａと下開口３０８ｂとに二分する機能を有している。
【００７８】
境界壁３１３は、その中心が連通開口３０８の下方寄りに位置するように配設されている。これにより上開口３０８ａは、下開口３０８ｂよりも大きい面積となる。他の部分については、第１実施形態に係るイオン放出ユニット３Ａと同様の構成である。
【００７９】
イオン放出ユニット３Ｂでは、連通空間Ｓ２において、下開口３０８ｂから上開口３０８ａに流れる空気流ができる。具体的には、図１０の黒塗りの矢印に示すように、空気流路ＦＰ２から下開口３０８ｂに空気が流入し、その流入した空気が上開口３０８ａから流出するような空気流ができる。そして、収容空間Ｓ１から連通空間Ｓ２に送られたマイナスイオンが、当該空気流に誘引され、空気流路ＦＰ２へと運ばれる。これにより、イオン発生器３２によって生成されたマイナスイオンを空気流路ＦＰ２へと送出しやすいようにしている。
【００８０】
また、境界壁３１３は、開口３０８を上開口３０８ａと下開口３０８ｂとに二分する機能の他に、空気流路ＦＰ２から連通空間Ｓ２に液体が浸入しにくようにする防水壁としての機能も有している。
【００８１】
（３）特徴
上記第２実施形態では、境界壁３１３が、空気流路ＦＰ２と連通空間Ｓ２の境界近傍に設けられている。そして、境界壁３１３の上側は上開口３０８ａになり、下側には下開口３０８ｂになり、上開口３０８ａの面積は下開口３０８ｂの面積以上となる。これにより、空気流路ＦＰ２へとマイナスイオンを送出しやすい。
【００８２】
（４）変形例２ａ
上記第２実施形態では、境界壁３１３とは別に、第１防壁３１２ａ及び第２防壁３１２ｂが配置されていたが、他の実施形態においては、これに限定されない。すなわち、境界壁３１３は、開口３０８を上開口３０８ａと下開口３０８ｂとに二分する機能の他に、空気流路ＦＰ２から連通空間Ｓ２に液体が浸入しにくようにする防水壁としての機能も有している。よって、他の実施形態においては、防壁３１２ａ及び３１２ｂのいずれか一方又は両方を省略した構成であってもよい。
【産業上の利用可能性】
【００８３】
本発明は、シロッコファンを備えたイオン放出装置に利用可能である。
【符号の説明】
【００８４】
１Ａ（１Ｂ）  イオン放出装置
３Ａ（３Ｂ）  イオン放出ユニット
３０          シロッコファン
３０１        ファンロータ
３０２        スクロールケーシング
３０４        吹出口
３０６        第１壁部
３１          イオン発生器ケーシング
３１ａ        イオン発生器ケーシングの本体
３１ｂ        イオン発生器ケーシングの蓋部
３２          イオン発生器
３０８        連通開口
３０８ａ      上開口
３０８ｂ      下開口
３１１ｄ      下面板
３１２ａ      第１防壁
３１２ｂ      第２防壁
３１３        境界壁
Ｓ１          イオン発生器収容空間
Ｓ２          連通空間
ＦＰ２        空気流路
【先行技術文献】
【特許文献】
【００８５】
【特許文献１】特開２００３−１２０９７２号公報
【図１】
2014020611.tif 000003
【図２】
2014020611.tif 000004
【図３】
2014020611.tif 000005
【図４】
2014020611.tif 000006
【図５】
2014020611.tif 000007
【図６】
2014020611.tif 000008
【図７】
2014020611.tif 000009
【図８】
2014020611.tif 000010
【図９】
2014020611.tif 000011
【図１０】
2014020611.tif 000012